(57)【特許請求の範囲】
【請求項１】
表面の少なくとも中央領域に液透過性の表面シートを有し、前記表面シートと裏面シートとの間に吸収層が設けられ、前記表面の両側部に縦方向に延びる防漏部と、前記防漏部と前記表面シートとの接合部よりも外側へ延びる延出部とが設けられ、前記延出部の一部が前記裏面シート側へ折り曲げられて下着に固着される生理用ナプキンにおいて、
前記防漏部は非親水性シートが２枚重ねに折られて構成され、前記非親水性シートの一方の縁部が前記延出部の縁部まで延び、前記接合部は、２枚の前記非親水性シートと前記表面シートとが長手方向に沿って接合されて形成され、
前記延出部には、前記非親水性シートの他方の縁部と前記表面シートの縁部とが前記接合部から延び出た所定幅の緩衝領域と、前記裏面シートと前記表面シートとの間に補強シートが挟まれた補強領域と、前記緩衝領域と前記補強領域との間に位置して前記補強領域を折り曲げることを可能とした所定幅の可撓領域とが設けられており、
前記緩衝領域を、その厚みと直交する向きで圧力を４９Ｐａから４９００Ｐａまで変化させて加圧したときの、前記圧力と前記緩衝領域の厚みとの積を、厚みの初期値から終値まで定積分したときの値である圧縮エネルギーが、０．４〜１．０（Ｎ・ｍ／ｍ2）であることを特徴とする生理用ナプキン。
【請求項２】
前記緩衝領域において、前記裏面シートと前記非親水性シートとの間に位置する前記非親水性シートの他方の一部と前記表面シートの一部は、その上下に位置するシートと非接着である請求項１記載の生理用ナプキン。
【請求項３】
前記可撓領域では、前記非親水性シートの一部と前記裏面シートとが接合されている請求項１または２記載の生理用ナプキン。
【請求項４】
前記防漏部には、長手方向への弾性収縮力を発揮する弾性部材が取付けられており、前記防漏部は、前記接合部を基端として前記表面から離れる方向へ立ち上がり可能である請求項１ないし３のいずれかに記載の生理用ナプキン。
【発明の詳細な説明】
【０００１】
【発明の属する技術分野】
本発明は、表面の両側部に長手方向に延びる防漏部が設けられ、さらに前記防漏部よりも外側へ延びる延出部の少なくとも一部が裏面シート側へ折り曲げられて下着に固定される生理用ナプキンに関する。
【０００２】
【従来の技術】
生理用ナプキンは、着用中において経血を液吸収層で確実に吸収し、経血が物品の外へ漏れないようにすることが求められる。従来の生理用ナプキンでは、運動によって外力を受けることで物品が変形し、吸収能力が十分に発揮できない状態で上記変形が生じたときに、経血を確実に吸収することができなくなって液漏れが発生し、着衣を汚してしまうことがたびたび引き起こされる。特に、着用者が歩行したり、立ち上がったり、座ったり、運動したりすることで股間の脚の付け根部分が絶えず皮膚に対して移動し、装着した物品と着用者の体との間に隙間が発生し易くなり、隙間から排泄液が流れ出し、いわゆる横漏れを引き起こして着衣を汚してしまう。
【０００３】
そこで、特開平８−２８０７３５号公報などには横漏れを解消するための提案がなされている。これには物品の長手方向の両側に防漏壁が形成され、さらに前記防漏壁の外側へ延びるウイング部が設けられている。装着するときには前記ウイング部を下着のクロッチ部の外側へ折り返して前記クロッチ部の外面に接着剤層を介して固定する。物品の両側では、前記防漏壁と吸収体との間にポケット状の凹部が形成され、経血が前記吸収体に吸収されずにトップシート上を流れてきたとしても前記凹部で塞き止めることができ、横漏れが抑えられるというものである。
【０００４】
【発明が解決しようとする課題】
上記従来の生理用ナプキンでは、物品が下着に固着されることで、下着との連動性を高く維持することができる。
【０００５】
しかし、前記従来の生理用ナプキンは、ウイング部が常に同じ位置で折り曲げられるとは限られず、その結果、生理用ナプキンが下着のクロッチ部に対して右寄りまたは左寄りに片寄った位置に装着されることがある。特に、生理用ナプキンを新品に交換する際に、着衣の汚れを気にするがために慌てて交換されるような場合には、下着の正しい位置への装着が行われないまま使用される場合が多い。
【０００６】
生理用ナプキンが下着のクロッチ部において側方に偏って装着されると、ウイング部を下着のクロッチ部の外面に折り返したときに、生理用ナプキンの表面側に設けられた防漏壁の基部が、ウイング部の基部の折曲げ部に位置する可能性が高くなる。前記防漏壁の基部が前記折曲げ部に位置すると、下着のクロッチ部の縁部付近に設けられた防漏壁が変形して、前記ポケット状の凹部も変形しやすい。
【０００７】
また、大腿部による圧迫によって、下着のクロッチ部に対して側方からの圧力が与えられると、下着のクロッチ部の縁部付近に位置する防漏壁の基部に前記圧力が直接に作用して、防漏壁が変形しやすくなり、防漏壁と肌との間に隙間が発生しやすく、また前記ポケット状の凹部もさらに変形しやすくなって、液漏れ防止効果が低下しやすい。
【０００８】
本発明は上記課題を解決するものであり、延出部の少なくとも一部を下着の外面に折り返したときに、このときの折曲げ部と防漏部の基部との間に確実に距離が開けられるようにし、しかも折曲げ部と防漏部との間が側方からの力を緩衝できるようにして、防漏部が変形しにくくし横漏れ防止効果を高くできるようにした生理用ナプキンを提供することを目的とする。
【０００９】
【課題を解決するための手段】
本発明は、表面の少なくとも中央領域に液透過性の表面シートを有し、前記表面シートと裏面シートとの間に吸収層が設けられ、前記表面の両側部に縦方向に延びる防漏部と、前記防漏部と前記表面シートとの接合部よりも外側へ延びる延出部とが設けられ、前記延出部の一部が前記裏面シート側へ折り曲げられて下着に固着される生理用ナプキンにおいて、
前記防漏部は非親水性シートが２枚重ねに折られて構成され、前記非親水性シートの一方の縁部が前記延出部の縁部まで延び、前記接合部は、２枚の前記非親水性シートと前記表面シートとが長手方向に沿って接合されて形成され、
前記延出部には、前記非親水性シートの他方の縁部と前記表面シートの縁部とが前記接合部から延び出た所定幅の緩衝領域と、前記裏面シートと前記表面シートとの間に補強シートが挟まれた補強領域と、前記緩衝領域と前記補強領域との間に位置して前記補強領域を折り曲げることを可能とした所定幅の可撓領域とが設けられており、
前記緩衝領域を、その厚みと直交する向きで圧力を４９Ｐａから４９００Ｐａまで変化させて加圧したときの、前記圧力と前記緩衝領域の厚みとの積を、厚みの初期値から終値まで定積分したときの値である圧縮エネルギーが、０．４〜１．０（Ｎ・ｍ／ｍ2）であることを特徴とするものである。
【００１０】
前記生理用ナプキンでは、延出部の少なくとも一部を折るための可撓領域と、防漏部の接合部との間に緩衝領域が設けられ、前記緩衝領域の圧縮エネルギーが前記範囲に設定されているため、側方からの圧力が前記緩衝領域で緩衝されて前記接合部に直接に作用しにくくなり、よって防漏部が変形しにくくなる。
【００１２】
また、緩衝領域を４枚のシートで構成することにより、緩衝領域の圧縮エネルギーを前記範囲内に設定しやすくなる。
【００１３】
また、前記緩衝領域において、前記裏面シートと前記非親水性シートとの間に位置する前記非親水性シートの他方の一部と前記表面シートの一部は、その上下に位置するシートと非接着であるあることが好ましい。
【００１４】
前記非親水性シートの他方の一部と前記表面シートの一部が上下のシートと非接着であると、前記緩衝領域にシート間の空隙ができ、装着時に側方から圧力が与えられたときの緩衝能力が高くなる。
【００１７】
また、前記防漏部には、長手方向への弾性収縮力を発揮する弾性部材が取付けられており、前記防漏部は、前記接合部を基端として前記表面から離れる方向へ立ち上り可能であることが好ましい。
【００１８】
防漏部が立ち上がり可能な壁部であると、表面シートを側方へ伝わる液を前記防漏部で遮断しやすくなる。
【００１９】
【発明の実施の形態】
図１は、本発明の生理用ナプキンを示す平面図であり、中央線Ｏ−Ｏを境として左側半分は防漏シートを取り外したときの状態を示し、右側半分は防漏シートが取付けられた状態を示す。図２は図１のＩＩ−ＩＩ線の断面図、図３は下着に装着したときの部分断面図である。
【００２０】
図１と図２に示す生理用ナプキン１は、生理中の女性が下着（外部装着体）のクロッチ部の内面に装着して使用するものである。
【００２１】
生理用ナプキン１の平面形状は、ほぼ円弧形状の前縁部２および同じく円弧形状の後縁部３を有しており、左側縁部４と右側縁部５は、曲線を描く形状であり、左側縁部４と右側縁部５との距離すなわち生理用ナプキン１の幅寸法（Ｘ方向）は、前縁部２と後縁部３と同じ寸法かあるいは前縁部２よりも後縁部３が幅広の寸法となっている。
【００２２】
生理用ナプキン１を前後に二分する中心よりも前記前縁部２に片寄った位置には、左側縁部４と右側縁部５よりも幅方向（Ｘ方向）の外側に突出するウイング部６および７が形成されている。この実施の形態では、延出部の一部である前記ウイング部６および７が下着のクロッチ部の外面に折り返される。
【００２３】
図２に示すように、この生理用ナプキン１は、液不透過性の裏面シート１１と、液透過性の表面シート１２を有している。前記裏面シート１１は、図１に示す生理用ナプキン１の外形状と同じ形状、すなわち前記前縁部２、後縁部３、左側縁部４および右側縁部５、ウイング部６の端縁部６ａおよびウイング部７の端縁部７ａを形成する形状である。
【００２４】
前記表面シート１２は生理用ナプキン１の縦方向に延びる中央線Ｏ−Ｏを含む所定幅の範囲内に設けられており、前記裏面シート１１と前記表面シート１２との間に吸収層１３が設けられている。
【００２５】
前記吸収層１３は所定の厚みを有しており、図１において破線で示しているように、前縁部２ａ、後縁部３ａ、左側縁部４ａおよび右側縁部５ａを有する形状である。前記吸収層１３の前記前縁部２ａ、後縁部３ａ、左側縁部４ａ及び右側縁部５ａは、生理用ナプキン１の前縁部２、後縁部３、左側縁部４及び右側縁部５よりも内側に位置している。
【００２６】
前記吸収層１３と前記表面シート１２の間には、３枚重ね状態に折りに畳まれた透液シート３５，３６が重ねられている。この透液吸収シート３５，３６は表面シート１２に与えられた経血を速やかに吸引して吸収層１３へ与える機能を有している。前記透液シート３５，３６の周縁部に沿って、表面シート１２および吸収層１３が加熱・加圧されて圧搾溝１２ａが形成されている。前記圧搾溝１２ａでは前記吸収層１３の密度が高くなっている。また、前記吸収層１３は、前記圧搾溝１２ａの外側の領域で、中央部分よりも薄く形成されている。前記透液シート３５，３６が設置された部分は前記圧搾溝１２ａから盛り上がった隆起部１２ｂとなっており、この前記隆起部１２ｂを装着者の局部に密着させることができ、経血を確実に吸収層１３側に取り込むことができる。
【００２７】
前記吸収層１３の下面と前記裏面シート１１は、ホットメルト接着剤３０を用いて接着されている。また吸収層１３の上面および前記透液シート３５，３６の上面と前記表面シート１２との間も、液の透過を損ねないようにジグザク状や螺旋状に塗布されたホットメルト接着剤を用いて接着されている。
【００２８】
生理用ナプキン１の表面側では、前記中央線Ｏ−Ｏの左右両側に前記中心線Ｏ−Ｏと左右にそれぞれ間隔を開けた位置から両側縁部４，５、およびウイング部６，７の端縁部６ａ，７ａにかけての領域が、非親水性領域１５および１６となっている。本実施の形態の生理用ナプキン１では、前記非親水性領域１５と１６との間が、前記表面シート１２が露出した受液領域１７となっている。
【００２９】
前記非親水性領域１５，１６には、長手方向にほぼ平行に延びる防漏部１５ａ，１６ａと、前記防漏部１５ａ，１６ａよりも外側へ延びる延出部１５ｂ，１６ｂが設けられており、前記ウイング部６，７は、前記延出部１５ｂ，１６ｂの一部分により形成されている。前記防漏部１５ａ，１６ａおよび延出部１５ｂ，１６ｂには、非親水性シート１８が設けられている。
【００３０】
防漏部１５ａ，１６ａでは、頂部２１において前記非親水性シート１８が折り曲げられており、折り曲げられた非親水性シート１８は、前記防漏部１５ａ，１６ａの基端部において前記表面シート１２と接合されて接合部２０が形成されている。よって、前記接合部２０から前記頂部２１までの領域が前記防漏部１５ａ，１６ａとなり、前記接合部２０から両側縁部４，５およびウイング部６，７の端縁部６ａ，７ａまでが前記延出部１５ｂ，１６ｂとなっている。
【００３１】
前記防漏部１５ａ，１６ａの内部には、長手方向に延びる複数の弾性部材２２が接着されている。この弾性部材２２は伸長させた状態で前記非親水性シート１８に接合され、前記防漏部１５ａ，１６ａには長手方向において弾性収縮力が作用している。また、前記防漏部１５ａ，１６ａを形成している前記非親水性シート１８は、生理用ナプキン１の前後端部において折畳まれた状態でその全体が前記表面シート１２の表面に固定されている。したがって、生理用ナプキン１が自由状態のときに、前記弾性収縮力によって、前記生理用ナプキン１が湾曲させられ、その結果、前記防漏部１５ａ，１６ａは頂部２１が生理用ナプキン１の表面から離れる方向へ立ち上がる。立ち上り状態の前記防漏部１５ａ，１６ａでは、その高さを二分する位置に縦方向に延びる折り線２７，２８が設けられて、前記防漏部１５ａ，１６ａの断面形状はほぼＶ字形状となっている。
【００３２】
そして、前記防漏部１５ａ，１６ａの前記折り線２７，２８よりも下の部分での内壁面と、前記表面シート１２との間に、ポケット状の凹状部２３，２３が形成され、吸収層１３に吸収できずに表面シート１２を伝って側方へ流れ出た経血を、前記凹状部２３で塞き止めることができるようになっている。
【００３３】
ここで、図１の左半部に示されるように、生理用ナプキン１の中央の長さＬ０の領域では、前記防漏部１５ａの基部の前記接合部２０と、前記防漏部１６ａの基部の前記接合部２０との間隔Ｗ０が広くなっており、長さＬ１の前方領域と、長さＬ２の後方領域とでは、前記間隔Ｗ１が狭くなっている。よって、前記受液領域１７は、中央領域においてわずかに広くなっている。
【００３４】
そして、少なくとも前記縦方向の長さ寸法がＬ０の中央領域の範囲では、図２に示すように、表面シート１２の一部が、前記接合部２０，２０よりも外側へ突出し、前記接合部２０，２０から外側へ突出している前記表面シート１２の端部が、中間シート１２ｃ，１２ｄとなっている。さらに、前記防漏部１５ａ，１６ａを構成している非親水性シート１８のうち前記防漏部１５ａ，１６ａの内壁側を構成している部分の端部は、前記接合部２０，２０から外側へ突出しており、前記接合部２０，２０から外側へ突出している前記非親水性シート１８の端部が中間シート１８ａ，１８ｂとなっている。
【００３５】
なお、前記表面シート１２の端部で形成された前記中間シート１２ｃ，１２ｄは、ホットメルト接着剤３０と３１とで、前記裏面シート１１の表面に接着されているが、前記非親水性シート１８の端部で形成された前記中間シート１８ａ，１８ｂは、その上に位置する非親水性シート１８，１８およびその下に位置する前記中間シート１２ｃ，１２ｄのいずれとも接着されていない。
【００３６】
一方、前記延出部１５ｂ，１６ｂのウイング部６，７では、前記裏面シート１１と前記非親水性シート１８との間に、補強シート２４，２５が挟まれており、補強シート２４，２５の下面がホットメルト接着剤３０によって前記裏面シート１１に接着されている。また補強シート２４，２５の上面がホットメルト接着剤３１によって前記非親水性シート１８に接着されている。
【００３７】
前記補強シート２４，２５は、ウイング部６，７の形状とほぼ同一の形状であり、前記補強シート２４，２５の内側に向く縁部２４ａ，２５ａは、前記防漏部１５ａ，１６ａの基部の前記接合部２０，２０よりも外側に位置し、且つ前記縁部２４ａ，２５ａと前記接合部２０，２０は平行となっている。
【００３８】
さらに、前記左側縁部４のうちの前記ウイング部６が形成されていない部分、さらに詳しくは、前記ウイング部６の縁と前記左側縁部４との境界部分を４ａ１，４ｂ１としたときに、前記補強シート２５の縁部２５ａは、前記境界部分４ａ１，４ｂ１よりも前記中心線Ｏ−Ｏから離れる外側に位置している。他方の補強シート２４においても同じであり、前記補強シート２４の縁部２４ａは、境界部分５ａ１，５ｂ１よりも外側に位置している。
【００３９】
そして、前記補強シート２４の縁部２４ａよりも内側で、前記中間シート１２ｃの縁部１２ｃ１および前記中間シート１８ａの縁部１８ａ１よりも外側の領域は、剛性の低い可撓領域Ｍとなっている。この可撓領域Ｍでは、裏面シート１１と非親水性シート１８とが重ねられて、ホットメルト接着剤３０と３１とによって互いに接着されている。同様に、前記補強シート２５の縁部２５ａよりも内側で、前記中間シート１２ｄの縁部１２ｄ１および前記中間シート１８ｂの縁部１８ｂ１よりも外側の領域には、前記裏面シート１１と非親水性シート１８とが重ねられて接着された可撓領域Ｍが形成されている。
【００４０】
図３に示すように、前記ウイング部６と７を外部装着体２８のクロッチ部の外面に折り返すことができるようにし、しかも前記中間シート１２ｃ，１２ｄおよび中間シート１８ａ，１８ｂが前記クロッチ部の内面側に位置できるようにするためには、前記可撓領域Ｍの幅寸法Ｗｍは、外部装着体２８の厚さ寸法以上であることが必要で、Ｗｍは４ｍｍ以上であることが好ましい。また前記幅寸法Ｗｍの上限は特に規定されるべき理由がないが、通常の生理用ナプキンの寸法から上限は１５ｍｍ以下程度である。
【００４１】
さらに、前記接合部２０から、中間シート１２ｃの縁部１２ｃ１までの距離、あるいは前記接合部２０から中間シート１８ａの縁部１８ａ１までの距離のいずれか長い方の寸法Ｗｄ、すなわち前記接合部２０から中間シート１２ｃが外側へ突出する長さ、あるいは前記接合部２０から中間シート１８ａが外側へ突出する長さのうちのいずれか長い方の寸法Ｗｄは、２ｍｍ以上であることが好ましく、さらに好ましくは３ｍｍ以上である。前記長さ以上であれば、図３の装着状態で、前記接合部２０が外部装着体２８のクロッチ部の縁部から内側へ間隔を開けて位置することができ、前記クロッチ部の側方から力Ｐが作用したときに、この力が前記接合部２０および防漏部１５ａに直接に作用しにくくなる。そして、この実施の形態では、前記幅寸法Ｗｄの領域が緩衝領域Ｄとなっている。なお、前記幅寸法Ｗｄの上限も特に規定されるべき理由がないが、通常の生理用ナプキンの寸法から、前記上限は５ｍｍ以下、あるいは８ｍｍ以下であり、最大で１０ｍｍ以下程度である。
【００４２】
なお、前記寸法は、前記と逆側の側部、すなわち補強シート２５が設けられている側においても同じである。
【００４３】
ここで、図３に示す装着状態において、側方からの力に対して前記幅寸法Ｗｄの緩衝領域Ｄが十分な緩衝効果を発揮できるためには、カトーテック株式会社製の自動化圧縮試験機「ＫＥＳ  ＦＢ３−Ａ」で測定したときの前記緩衝領域Ｄの圧縮エネルギーが０．４〜１．０（Ｎ・ｍ／ｍ2）であることが好ましい。前記範囲未満では、緩衝領域Ｄの軟質性が劣って十分な緩衝能力を発揮できず、前記範囲を超えると、緩衝領域Ｄを構成するシートが厚ぼったくなって、装着者が違和感を生じる不安がある。
【００４４】
前記延出部１５ｂ，１６ｂにおいて、前記可撓領域Ｍ，Ｍのガーレー剛性値を「１」としたときに、前記緩衝領域Ｄのガーレー剛性値、および前記補強シート２４，２５が設けられているウイング部６，７のガーレー剛性値は、２．５以上で９以下であることが好ましい。前記範囲未満であると、ウイング部６，７を折り返すときの可撓領域を明確にすることができず、接合部２０の直近や補強シート２４，２５が設けられている部分で折れが生じるおそれがある。また前記範囲を超えると、可撓領域Ｍの直近の領域の剛性が高くなり、装着者に剛直感を与えるおそれがある。
【００４５】
ここで、前記ガーレー剛性値は、可撓領域Ｍを構成する裏面シート１１と非親水性シート１８と同じシートを接着したものを、５１ｍｍ（前記生理用ナプキンの長手方向に相当する長さ）×１２．７ｍｍ（前記長手方向に直交する方向に相当）の試験片にして、ガーレーこわさ試験機（安田精機製）のチャックに前記試験片の長手方向側を把持させ、チャックを等速度で振ったときの振り子の目盛りを記録して剛性値（ｍＮ）を測定する。緩衝領域Ｄおよびウイング部６，７においても、これらを構成するのと同じシートの積層体で前記大きさの試験片を形成して、同様にガーレー剛性値を測定する。そしてこのガーレー剛性値の比は、前記可撓領域Ｍの１に対して、緩衝領域Ｄおよびウイング部６，７が２．５〜９の範囲とするようにシートの組み合わせを選択する。なお、前記ガーレーこわさ試験はＪＩＳ−Ｌ１０１８に準じて行なわれる。
【００４６】
図２に示すように、前記ウイング部６と７の裏側では、前記裏面シート１１の外面に、下着へ固着させるための感圧接着剤層３４，３４が設けられている。また生理用ナプキン１の中央部の裏面においても、前記裏面シート１１の外面に帯状の感圧接着剤層３２，３２が設けられている。そして、使用前の状態では、前記感圧接着剤層３４，３４と前記感圧接着剤層３２，３２の表面に離型シートが貼られている。
【００４７】
以下、本発明の生理用ナプキン１を形成する各素材の好ましい例を説明する。前記裏面シート１１は、液不透過性シートであり、例えばＰＥ（ポリエチレン）、ＰＰ（ポリプロピレン）、ＰＥＴ（ポリエチレンテレフタレート）およびＥＶＡ（エチレン・酢酸ビニル共重合体）のうちの１種または２種以上を組合わせて得られる樹脂フィルム、または前記樹脂フィルムにフィラー等を添加し、延伸して微細な孔を形成して透湿性を付与したものを用いることができる。または樹脂と紙のラミネート材、不織布と樹脂フィルムとが積層されたシートなどであってもよい。
【００４８】
前記表面シート１２は液透過性シートであり、例えばＰＥ、ＰＰ、ＰＥＴおよびＥＶＡから選択される１種または２種以上を組合わせて得られる樹脂フィルムに液が透過することが可能な大きさの孔を多数形成したフィルム、またはＰＥ、ＰＰ、ＰＥＴなどを含む複合繊維を熱風、圧力または水流によって交絡、接合させた繊維不織布などから選択できる。
【００４９】
前記吸収層１３は、粉砕パルプとＳＡＰ（高吸収性ポリマー）とが混合されたもので液透過性の紙やセルロースシートで包んだもの、セルロースファイバをバインダー処理でシート化したもの、綿状パルプ、エアレイドパルプ、連続気泡タイプの親水性フォーム、薄葉紙、親水性繊維を使用したスパンレース不織布、親水処理を施したメルトブローン不織布、吸収紙、あるいはコットンリンターパルプなど、またはこれらを組合わせたものから選択できるが、吸収層として通常使用されるものであればこれらに限定されるものではない。
【００５０】
前記透液シート３５，３６は、例えば、液吸収性が高く且つ嵩高な不織布などで形成されている。
【００５１】
前記非親水性シート１８は、液を浸透および透過させず、しかも柔軟な素材を選択することが好ましい。例えば、ＰＰ繊維、あるいはＰＥ／ＰＰ、ＰＥ／ＰＥＴ、ＰＰ／ＥＶＡ等の複合繊維で繊度が１．１ｄｔｅｘ〜６．７ｄｔｅｘのもので形成された不織布で、例えばエアースルー法で形成された不織布を用いることが好ましい。繊度が１．１ｄｔｅｘ未満では、毛細管作用を強めてしまい排泄液を誘導しやすくなり、また吸収を促進させて、一旦吸収層１３に吸収された排泄液を逆に吸収してしまうので好ましくなく、また繊度が６．７ｄｔｅｘを越えると繊維の剛直性が増加し、着用感が損われる。
【００５２】
前記非親水性シート１８として用いられるエアースルー不織布は、目付けを１０〜４０ｇ／ｍ2とすることが好ましく、目付けが１０ｇ／ｍ2未満では一旦吸収層１３に吸収された排泄液を圧迫時に容易に圧出させてしまい、目付けが４０ｇ／ｍ2を越えると着用感が損われる。また前記エアースルー不織布に代えて繊維を連続紡糸して得られるスパンボンド不織布であってもよい。または前記エアースルー不織布またはスパンボンド不織布にＰＥ樹脂をラミネートしたシートを用いてもよい。このラミネート処理は前記不織布の全面に施してもよく、または部分的に施してもよい。不織布の全面に施す場合には、シートの剛直性が増加して装着感を損わないようにできるだけ薄く形成することが好ましく、１０μｍ以下とすることが好ましい。また不織布に部分的に施す場合には、シートの剛直性が増加して装着感が損われないようにラミネート部分の面積率を５０％以下に設定することが好ましい。
【００５３】
さらに非親水性シート１８の他の具体例としては、ＰＥ、ＰＰ、ＥＶＡ等から選択される樹脂で形成された樹脂フィルムであってもよい。この場合の樹脂フィルムの目付けは１０〜３５ｇ／ｍ2であることが好ましい。
【００５４】
前記防漏部１５ａ，１６ａに使用される前記弾性部材２２としては、オレフィン系のフィルムや紡糸体、ウレタン系の弾性糸や発泡体、天然ゴムを糸状またはリボン状にしたもの、あるいはこれらを組合わせたものから選択できる。
【００５５】
また、前記補強シート２４，２５は、前記非親水性シート１８と同じエアースルー不織布、スパンボンド不織布、樹脂フィルムを使用できる。また、この補強シート２４，２５は非親水性であることが好ましい。あるいは、前記補強シート２４，２５として紙材を使用することができる。この場合の紙材は、ある程度の剛性を発揮できるようにするために、クレープが形成されていないものを使用することが好ましい。また、前記補強シート２４，２５として、前記不織布、樹脂フィルム、紙材を組合せて２枚以上の構成としてもよい。
【００５６】
図３に示すように、上記した生理用ナプキン１を下着などの外部装着体２８のクロッチ部に装着する際には、中央部に設けられている感圧接着剤層３４，３４を外部装着体２８のクロッチ部の内面に押し当てて固定する。さらに前記ウイング部６および７を可撓領域Ｍ，Ｍにおいて折り曲げて、外部装着体２８のクロッチ部の外面に重ねるように折り返し、感圧接着剤層３４を介して外部装着体２８の外面に押し当てて固定する。
【００５７】
ここで、幅が４ｍｍ以上の可撓領域Ｍ，Ｍを曲げ部として前記ウイング部６と７とを折り返すと、補強シート２４，２５の縁部２４ａ，２５ａが外部装着体２８のクロッチ部の左右両側部とほぼ一致するような状態で外部装着体２８の外面に固着される。また、前記中間シート１２ｃ，１２ｄおよび中間シート１８ａ，１８ｂが設けられている緩衝領域Ｄは、外部装着体２８の内面においてクロッチ部の両側部に位置するようになる。
【００５８】
ここで、前記中間シート１２ｃ，１２ｄおよび中間シート１８ａ，１８ｂが設けられている緩衝領域Ｄのガーレー剛性値、および補強シート２４，２５が設けられているウイング部６，７のガーレー剛性値が、可撓領域Ｍのガーレー剛性値の２．５倍以上で９倍以下であると、可撓領域Ｍ，Ｍの部分で折られやすくなる。
【００５９】
さらに、前記補強シート２４の縁部２４ａおよび補強シート２５の縁部２５ａは、ウイング部６と７の基端部の境界部分４ａ１，４ｂ１および境界部分５ａ１，５ｂ１よりも外側に位置しているため、ウイング部６，７よりも内側に位置する延出部１５ｂ，１６ｂの部分が、外部装着体２８の外面に向けて折り曲げられるのを防止しやすい。
【００６０】
また、前記中間シート１２ｃ，１２ｄおよび中間シート１８ａ，１８ｂが設けられている緩衝領域Ｄが、外部装着体２８のクロッチ部の内面側に位置することで、前記接合部２０，２０が外部装着体２８のクロッチ部の縁部よりも内側に位置でき、この接合部２０を起点として防漏部１５ａ，１６ａが装着者の肌に向けて確実に立ち上がって肌に密着しやすくなる。すなわち、前記緩衝領域Ｄが設けられていないと、ウイング部６，７を折り返したときに前記接合部２０が外部装着体２８の縁部付近の折曲げ部に位置することが有り得る。このような場合に、防漏部１５ａ，１６ａが外側へ倒れやすくなり、ポケット状の凹状部２３で、液を止めることができにくくなるおそれがある。しかし接合部２０，２０の外側に、少なくとも２ｍｍ以上の前記緩衝領域Ｄを設けておくことにより、防漏部１５ａ，１６ａを外部装着体２８のクロッチ部の内面を起点として装着者の方向へ起立させやすくなる。
【００６１】
また、装着者の大腿部（Ｐ方向）からの圧迫によって生理用ナプキン１の側部から力Ｐが作用したとしても、この力が前記中間シート１２ｃ，１２ｄおよび中間シート１８ａ，１８ｂが設けられている緩衝領域Ｄによって緩衝され、前記力が、防漏部１５ａ，１６ａの基部である前記接合部２０，２０に直接に作用しにくい。よって、防漏部１５ａ，１６ａが変形しにくく、防漏部１５ａ，１６ａの起立状態を維持でき、防漏部１５ａ，１６ａの内壁面と表面シート１２との間にＶ字形状の凹状部２３，２３を維持しやすくなり、表面シート１２に沿って側方へ流れた経血を前記凹状部２３，２３で止めることができる。
【００６２】
特に、前記緩衝領域Ｄ，Ｄの圧縮エネルギーを、前記のように０．４〜１．０（Ｎ・ｍ／ｍ2）の範囲とすると、図３に示す装着時において側方から大腿部などからの力Ｐが与えられたときに、防漏部１５ａ，１６ａに直接に力が作用しにくくなり、防漏壁１５ａ，１６ａが変形しにくくなる。
【００６３】
さらに、前記可撓領域Ｍ，Ｍでは、非親水性シート１８と非親水性の裏面シート１１とが接着されているため、前記表面シート１２を伝わって接合部２０を越えて滲み出た経血を可撓領域Ｍ，Ｍにおいて留めることができ、装着者の肌に前記経血が直接に付着しにくい。また前記可撓領域Ｍ，Ｍ内を浸透した経血は、裏面シート１１と非親水性シート１８との間において、非親水性である前記補強シート２４，２５の縁部２４ａ，２５ａで堰き止められるため、ウイング部６，７の内部へ浸透することがない。よって経血が外部装着体２８の外面に及ぶのを防止することができる。
【００６４】
図４は本発明の他の実施の形態を示す半断面図である。
図４に示す実施の形態では、延出部１５ｂ，１６ｂにおいて、前記裏面シート１１と前記非親水性シート１８とが、接合部２０と平行な連続したまたは間欠的なエンボス部４１により加圧されて熱融着されている。また、前記表面シート１２の端部が接合部２０よりも外側へ突出して中間シート１２ｃが形成され、表面シート１８の一部が接合部２０よりも外側に突出して中間シート１８ａが形成されている。そして、前記中間シート１８ａは上下のシートに接着されていない。
【００６５】
前記エンボス部４１と、それ以外の部分とで剛性差が生じ、前記エンボス部４１の内側の縁部４１ａと、前記中間シート１２ｃ，１８ａの縁部１２ｃ１，１８ａ１との間に可撓領域Ｍが形成され、前記中間シート１２ｃおよび中間シート１８ａが設けられた領域が緩衝領域Ｄとして機能するようになっている。
【００６６】
この場合も、前記緩衝領域Ｄでは、圧縮エネルギーが０．４〜１．０（Ｎ・ｍ／ｍ2）の範囲に設定されることが好ましい。
【００６７】
なお、前記実施の形態において、前記緩衝領域Ｄに、前記表面シート１２や非親水性シート１８と別体の中間シートを設け、この中間シートの外側に向く縁部の外側を可撓領域Ｍとしてもよい。
【００６８】
【実施例】
以下、実施例と比較例をあげて本発明を詳述するが、本発明はこれに限定されるものではない。
【００６９】
本明細書での前記緩衝領域Ｄの圧縮エネルギーは、カトーテック（株）の自動化圧縮試験機「ＫＥＳ  ＦＢ３−Ａ」で測定した値を用いている。
【００７０】
生理用ナプキンの前記緩衝領域Ｄを構成するのと同じ構成のシート積層体を試験片として作成して、前記自動化圧縮試験機に設置する。そして、面積が２ｃｍ2の円形の加圧板で試験片をシートの厚み方向へ加圧する。まず、前記試験片に４９Ｐａ（０．５ｇ／ｃｍ2）の初期圧力Ｐ０を与える。そして、前記初期圧力Ｐ０を起点として、前記圧縮圧力をＰｍ＝４９００Ｐａ（５０ｇ／ｃｍ2）まで圧縮速度５０ｍｍ／ｓｅｃで直線的に高め、前記圧縮圧力Ｐｍを与えたときの厚みをＴｍとする。このとき単位面積（ｍ2）あたりの前記試験片の圧縮エネルギーＷＣは、ＷＣ＝∫Ｐ・ｄＴ（Ｐは圧力、Ｔは厚み）でＴｍ→Ｔ０の間で定積分を行った値として求められる。
【００７１】
以下の比較例および実施例では、まず緩衝領域Ｄを構成するのと同じシートを積層したもので、生理用ナプキンの長手方向の長さを１００ｍｍ、幅方向の長さを１００ｍｍとした試験片として、前記自動化圧縮試験機により圧縮エネルギーを測定した。
【００７２】
そして前記シートの積層体を緩衝領域Ｄとした生理用ナプキンを製造し、下着のクロッチ部に図３に示すように装着し、前記クロッチ部に側方から力を与えたときの防漏部の変形状態を観察した。また前記生理用ナプキンをモニタに装着させて、装着感を評価させた。
【００７３】
以下の比較例と実施例では、裏面シート１１を目付け２３．５ｇ／ｍ2のポリエチレンフィルムで形成し、非親水性シート１８をＰＥ／ＰＰの複合合成繊維を用いたスパンボンド不織布で目付けが２２ｇ／ｍ2のもので形成した。
【００７４】
比較例１は、緩衝領域Ｄに中間シートを設けず、前記緩衝領域Ｄを裏面シート１１と非親水性シート１８のみで形成した。
【００７５】
比較例２では、中間シートとして、目付けが３０ｇ／ｍ2のクレープを有しない紙材で形成した。
【００７６】
比較例３は、中間シートとして、ＰＥ／ＰＰの複合合成繊維で形成したスパンボンド不織布で、目付けが２２ｇ／ｍ2のものを１枚用いた。
【００７７】
比較例４は、ＰＥ／ＰＥＴの複合合成繊維で形成したエアースルー不織布で、目付けが２５ｇ／ｍ2のものを１枚用いた。
【００７８】
比較例５は、中間シートとして、ＰＥ／ＰＰの複合合成繊維で形成したスパンボンド不織布で、目付けが２２ｇ／ｍ2のものを１枚と、ＰＥ／ＰＥＴの複合合成繊維で形成したエアースルー不織布で、目付けが２５ｇ／ｍ2のものを２枚用いた。
【００７９】
比較例６は、中間シートとして、液を透過できる多数の孔が形成されたポリエチレンフィルムで、目付けが２７ｇ／ｍ2のものを１枚用いた。
【００８０】
そして実施例１は、中間シートとして、ＰＥ／ＰＰの複合合成繊維で形成したスパンボンド不織布で、目付けが２２ｇ／ｍ2のものを１枚と、ＰＥ／ＰＥＴの複合合成繊維で形成したエアースルー不織布で、目付けが２５ｇ／ｍ2のものを１枚用いた。これは図２に示す構造の生理用ナプキンを想定したもので、前記スパンボンド不織布を非親水性シート１８の一部で形成された中間シート１８ａ，１８ｂとし、前記エアースルー不織布は、表面シート１３の一部で形成された中間シート１２ｃ，１２ｄとしたものである。
【００８１】
上記した比較例および実施例の生理用ナプキンについて、装着した状態で、下着のクロッチ部へ側方から力を与えたときの防漏部の変形状態、および着用感の評価を表１に示す。表１中、ウイング部の折り曲げの影響で防漏部が変形したものを×印で評価した。
【００８２】
【表１】
0004117158.tif 000002
【００８３】
実施例１では、緩衝領域の圧縮エネルギーを０．４〜１．０（Ｎ・ｍ／ｍ2）の範囲にしたので、ウイング部の折り曲げが防漏壁の変形として影響せず、また装着感が良好である。一方比較例１ないし４および６は、緩衝領域の圧縮エネルギーが０．４（Ｎ・ｍ／ｍ2）未満であるため、防漏部に変形が生じた。また比較例５は、圧縮エネルギーが１．０（Ｎ・ｍ／ｍ2）を越えているため、装着したときに、防漏部の外側の緩衝領域が厚ぼったい感触となった。
【００８４】
【発明の効果】
以上説明した本発明では、生理用ナプキンを下着などの外部装着体のクロッチ部の中央領域に設置しやすくなる。また側方からの力が与えられても、防漏部が変形などしにくく、防漏部による防漏効果を常に確実に発揮できるようになる。
【図面の簡単な説明】
【図１】本発明の生理用ナプキンを示す平面図であり、Ｏ−Ｏ線を境とした左側半分は比親水性シートを取り外した状態を示し、右側半分は非親水性シートが取付けられた状態を示す、
【図２】図１のＩＩ−ＩＩ線の断面図、
【図３】本発明の生理用ナプキンを外部装着体に装着したときの状態を示す断面図、
【図４】本発明の生理用ナプキンの他の実施の形態を示す半断面図、
【符号の説明】
Ｄ  緩衝領域
Ｍ  可撓領域
１  生理用ナプキン
６，７  ウイング部
１１  裏面シート
１２  表面シート
１２ｃ，１２ｄ  中間シート
１３  吸収層
１５，１６  非親水性領域
１５ａ，１６ａ  防漏部
１５ｂ，１６ｂ  延出部
１８  非親水性シート
１８ａ，１８ｂ  中間シート
２０  接合部
２２  弾性部材
２３  凹状部
２４，２５  補強シート
３２，３４  感圧接着剤層
【図１】
0004117158.tif 000003
【図２】
0004117158.tif 000004
【図３】
0004117158.tif 000005
【図４】
0004117158.tif 000006